(57)【要約】【課題】セグメントが単純な構造であっても、組立時に円錐ころが離脱しにくくできる円錐ころ軸受の組立用治具、組立方法および内輪アッセンブリを提供すること。【解決手段】複数のころ落下防止部材５１を有する組立用治具４を用意する。各ころ落下防止部材５１が、円弧状部６０と、セグメント受止部６１とを有し、円弧状部６０を、内輪１の大鍔部１３の外周面１８に固定する。また、円弧状部６０を外周面１８に固定した状態で、セグメント受止部６１が、円弧状部６０から外周面１８の径方向の外側の領域に延在するようにする。複数のころ落下防止部材５１に存在する複数のセグメント受止部６１が外周面１８を囲むように複数のころ落下防止部材５１を外周面１８に固定する。【選択図】図１
2015135142.tif 000002
【特許請求の範囲】
【請求項１】
複数のころ落下防止部材を備え、
上記各ころ落下防止部材は、
円錐ころ軸受の内輪の円錐軌道面の大径側に位置する大鍔部の外周面に固定される円弧状部と、
上記円弧状部が上記外周面に固定された状態で、上記円弧状部から上記外周面の径方向の外側の領域に延在するセグメント受止部と
を有し、
上記複数のころ落下防止部材に存在する複数の上記セグメント受止部が上記外周面を囲むように上記複数のころ落下防止部材を上記外周面に固定可能であることを特徴とするセグメント保持器を備える円錐ころ軸受の組立用治具。
【請求項２】
円錐ころ軸受の外輪と、円錐ころ軸受の内輪と、複数の円錐ころと、複数のセグメントを有して、各セグメントが一以上の上記円錐ころを収容する一以上のポケットを有するセグメント保持器と、請求項１に記載の円錐ころ軸受の組立用治具とを用意する部材用意工程と、
上記複数のころ落下防止部材に存在する複数の上記セグメント受止部が上記外周面を囲むように上記複数のころ落下防止部材を上記外周面に固定する組立用治具固定工程と、
上記内輪を、上記内輪の外周円錐軌道面の大径側が鉛直方向下方側に位置する状態かつ上記内輪の軸方向が鉛直方向に略一致する状態にする内輪位置決め工程と、
上記各セグメントの上記各ポケットに上記円錐ころを収容する円錐ころ収容工程と、
上記内輪位置決め工程の後、全ての上記ポケットに上記円錐ころが収容された上記セグメントを、そのポケットに収容された円錐ころが上記内輪の外周円錐軌道面上に位置するように、上記内輪に組み付けるセグメント組付工程と、
全ての上記セグメントにおいて上記セグメント組付工程を行った後で、かつ、組立用治具固定工程の後に、上記各円錐ころが上記外輪の内周円錐軌道面に位置するまで上記外輪を上記内輪に対して上記内輪の軸方向に相対移動させる外輪取付工程と
を備えることを特徴とする円錐ころ軸受の組立方法。
【請求項３】
外周円錐軌道面を有する内輪と、
複数のセグメントを有して、上記各セグメントが、一以上のポケットを有するセグメント保持器と、
上記各セグメントの上記ポケットに収容されると共に、上記外周円錐軌道面上に位置する円錐ころと、
請求項１に記載の円錐ころ軸受の組立用治具と
を備え、
上記複数のころ落下防止部材に存在する複数の上記セグメント受止部が上記外周面を囲むように上記複数のころ落下防止部材が上記外周面に固定され、
各セグメントは、いずれかの上記セグメント受止部に上記内輪の軸方向に重なる受止部重なり部分を有することを特徴とする内輪アッセンブリ。
【発明の詳細な説明】
【技術分野】
【０００１】
本発明は、円錐ころ軸受の組立用治具に関し、また、円錐ころ軸受の組立方法に関する。また、本発明は、内輪と、セグメント保持器と、複数の円錐ころとを備える内輪アッセンブリに関する。
【背景技術】
【０００２】
従来、円錐ころ軸受としては、特開２００７−２１１８３３号公報（特許文献１）に記載されているものがある。この円錐ころ軸受は、風力発電機に設置されている。この円錐ころ軸受は、外輪と、内輪と、複数の円錐ころと、保持器とを備え、保持器は、複数の円弧状のセグメントで構成され、各セグメントは、複数の円錐ころを保持するようになっている。
【０００３】
風力発電機や核磁気共鳴装置などで使用される大型の円錐ころ軸受では、環状一体型の保持器の制作が困難であることが知られている。上記円錐ころ軸受は、保持器を、複数の円弧状のセグメントで構成することによって、保持器での円錐ころの保持を可能とし、円錐ころ同士の接触を防止し、円錐ころの転動を円滑にしている。
【０００４】
上記円錐ころ軸受は、例えば、次のように組み立てられる。すなわち、上記内輪の軸方向の大端面を、水平面に載置し、内輪の軸方向を鉛直方向に一致させる。その後、保持器および複数の円錐ころからなる保持器アッセンブリを、各円錐ころが内輪の外周軌道面に位置するように内輪の径方向の外方側から配置する。その後、保持器アッセンブリの円錐ころが外輪の内周軌道面上に位置するように、外輪を内輪に対して軸方向に相対移動させて、保持器アッセンブリに外輪を組み付ける。このようにして、円錐ころ軸受の組み立てを完了する。
【０００５】
上記従来の保持器は、一体でなくて複数のセグメントからなっていて、隣接するセグメントが係合しない構造になっているから、各セグメントが他のセグメントに無関係に独立に運動できる。したがって、内輪が鉛直方向に直立して、保持器アッセンブリが内輪の外周軌道面に配置されている状態で、各セグメントが重力によって内輪から鉛直方向下方に落下することがある。また、落下には、至らないものの、各セグメントのポケットに配置される円錐ころの小端面が内輪の小鍔部に引っかかって傾斜し、外輪を装着する際に支障をきたすこともある。
【０００６】
一方、この問題を回避すべく、隣接するセグメント同士が係合可能な構成として、隣接するセグメント同士を連結させるようにして、各セグメントが落下しにくくすると、保持器の形状が複雑になってしまう。
【先行技術文献】
【特許文献】
【０００７】
【特許文献１】特開２００７−２１１８３３号公報
【発明の概要】
【発明が解決しようとする課題】
【０００８】
そこで、本発明の課題は、セグメントが単純な構造であっても、組立時に円錐ころが離脱しにくくできる円錐ころ軸受の組立用治具および組立方法を提供することにある。また、本発明の課題は、セグメントが単純な構造であっても、円錐ころが内輪から離脱しにくい内輪アッセンブリを提供することにある。
【課題を解決するための手段】
【０００９】
上記課題を解決するため、この発明のセグメント保持器を有する円錐ころ軸受の組立用治具は、
複数のころ落下防止部材を備え、
上記各ころ落下防止部材は、
円錐ころ軸受の内輪の円錐軌道面の大径側に位置する大鍔部の外周面に固定される円弧状部と、
上記円弧状部が上記外周面に固定された状態で、上記円弧状部から上記外周面の径方向の外側の領域に延在するセグメント受止部と
を有し、
上記複数のころ落下防止部材に存在する複数の上記セグメント受止部が上記外周面を囲むように上記複数のころ落下防止部材を上記外周面に固定可能であることを特徴とするセグメント保持器を備えることを特徴としている。
【００１０】
尚、上記「複数のころ落下防止部材に存在する複数の上記セグメント受止部が上記外周面を囲むように」という文言は、各セグメント受止部においてセグメントを受け止めるセグメント受止面（落下等したセグメントが接触可能な面）が内輪の軸方向に重ならない状態であるときに満たされるものとする。したがって、内輪の周方向に隣接する二つのころ落下防止部材の二つのセグメント受止面は、周方向に間隔をおいて位置しても良く、または、周方向に間隔をおかずに位置しても良い。
【００１１】
本発明によれば、複数のころ落下防止部材に存在する複数のセグメント受止部が外周面を囲むように、複数のころ落下防止部材を外周面に固定可能である。したがって、各セグメント受止部を、セグメントの軸方向（内輪の軸方向）の大鍔部側の端面に沿うように配置することにより、周方向の大きな領域において、セグメントが姿勢を変えようとしても、セグメント受止部でセグメントに力を付与できて、セグメント受止部でセグメントの姿勢の変動を阻止できる。したがって、セグメントのポケット内の円錐ころの小端面が内輪の小鍔部に引っかかって傾斜することを防止でき、このことから当然に円錐ころが配置されたセグメントが落下することも防止できる。したがって、セグメントが他のセグメントとの係合部を有さない単純な構造であっても、内輪と、セグメント保持器と、複数の円錐ころとを備える内輪アッセンブリに外輪を装着する際に支障をきたすことがなく、内輪アッセンブリに外輪を円滑に装着できる。
【００１２】
また、本発明の円錐ころ軸受の組立方法は、
円錐ころ軸受の外輪と、円錐ころ軸受の内輪と、複数の円錐ころと、複数のセグメントを有して、各セグメントが一以上の上記円錐ころを収容する一以上のポケットを有するセグメント保持器と、本発明の円錐ころ軸受の組立用治具とを用意する部材用意工程と、
上記複数のころ落下防止部材に存在する複数の上記セグメント受止部が上記外周面を囲むように上記複数のころ落下防止部材を上記外周面に固定する組立用治具固定工程と、
上記内輪を、上記内輪の外周円錐軌道面の大径側が鉛直方向下方側に位置する状態かつ上記内輪の軸方向が鉛直方向に略一致する状態にする内輪位置決め工程と、
上記各セグメントの上記各ポケットに上記円錐ころを収容する円錐ころ収容工程と、
上記内輪位置決め工程の後、全ての上記ポケットに上記円錐ころが収容された上記セグメントを、そのポケットに収容された円錐ころが上記内輪の外周円錐軌道面上に位置するように、上記内輪に組み付けるセグメント組付工程と、
全ての上記セグメントにおいて上記セグメント組付工程を行った後で、かつ、組立用治具固定工程の後に、上記各円錐ころが上記外輪の内周円錐軌道面に位置するまで上記外輪を上記内輪に対して上記内輪の軸方向に相対移動させる外輪取付工程と
を備えることを特徴としている。
【００１３】
尚、上記各工程の順序を明確に記載していない場合は、それらの工程は、どちらを先に行っても良く、二以上の工程を、時間差を設けて一定の時間のみ同時に行っても良く、または、二以上の工程を、時間差を設けずに同時に行っても良い。
【００１４】
本発明によれば、全てのセグメントにおいてセグメント組付工程を行った後で、かつ、組立用治具固定工程の後に、内輪と、セグメント保持器と、複数の円錐ころとを備える内輪アッセンブリに外輪を装着するようになっているから、周方向の大きな領域において、セグメントが姿勢を変えようとしても、セグメント受止部でセグメントに力を付与することができて、セグメント受止部でセグメントの姿勢の変動を阻止できる。したがって、セグメントのポケットに配置される円錐ころの小端面が内輪の小鍔部に引っかかって傾斜することを防止でき、このことから当然に円錐ころが配置されたセグメントが落下することを防止できる。したがって、セグメントが他のセグメントとの係合部を有さない単純な構造であっても、内輪と、セグメント保持器と、複数の円錐ころとを備える内輪アッセンブリに外輪を装着する際に支障をきたすことがなく、内輪アッセンブリに外輪を円滑に装着できる。
【００１５】
また、本発明の内輪アッセンブリは、
外周円錐軌道面を有する内輪と、
複数のセグメントを有して、上記各セグメントが、一以上のポケットを有するセグメント保持器と、
上記各セグメントの上記ポケットに収容されると共に、上記外周円錐軌道面上に位置する円錐ころと、
本発明の円錐ころ軸受の組立用治具と
を備え、
上記複数のころ落下防止部材に存在する複数の上記セグメント受止部が上記外周面を囲むように上記複数のころ落下防止部材が上記外周面に固定され、
各セグメントは、いずれかの上記セグメント受止部に上記内輪の軸方向に重なる受止部重なり部分を有することを特徴としている。
【００１６】
本発明によれば、複数のセグメント受止部が外周面を囲むように複数のころ落下防止部材が外周面に固定され、各セグメントが、いずれかの上記セグメント受止部に上記内輪の軸方向に重なる受止部重なり部分を有するから、いずれかのセグメントが姿勢を変えようとしても、セグメント受止部でセグメントに力を付与できて、セグメント受止部でセグメントの姿勢の変動を阻止できる。したがって、セグメントのポケット内の円錐ころの小端面が内輪の小鍔部に引っかかって傾斜することを防止でき、このことから当然に円錐ころが配置されたセグメントが落下することも防止できる。したがって、セグメントが単純な構造であっても、本発明の内輪アッセンブリに外輪を装着する際に支障をきたすことがなく、円錐ころ軸受を円滑に組み立てできる。
【発明の効果】
【００１７】
本発明によれば、セグメントが単純な構造であっても、組立時に円錐ころが離脱しにくくできる円錐ころ軸受の組立用治具および組立方法を実現できる。また、本発明によれば、セグメントが単純な構造であっても、円錐ころが内輪から離脱しにくい内輪アッセンブリを実現できる。
【図面の簡単な説明】
【００１８】
【図１】円錐ころ軸受の組み立ての最中に中間状態として現れる内輪アッセンブリの斜視図である。
【図２】上記内輪アッセンブリの一部の俯瞰図である。
【図３】外輪を内輪アッセンブリに組み付けている最中の一状態を示す図である。
【発明を実施するための形態】
【００１９】
以下、本発明を図示の形態により詳細に説明する。
【００２０】
図１は、円錐ころ軸受の組み立ての最中に中間状態として現れる内輪アッセンブリの斜視図であり、本発明の一実施形態である円錐ころ軸受の組立用治具を説明する図である。
【００２１】
図１に示すように、この内輪アッセンブリは、内輪１と、セグメント保持器２と、複数の円錐ころ３と、円錐ころ軸受の組立用治具４とを備える。上記内輪１は、外周円錐軌道面１１と、小鍔部１２と、大鍔部１３とを有する。上記小鍔部１２は、外周円錐軌道面１１の小径側に位置する一方、大鍔部１３は、外周円錐軌道面１１の大径側に位置している。
【００２２】
図２は、上記内輪アッセンブリの一部の俯瞰図である。尚、図２においては、外周円錐軌道面１１を示すため、一部のセグメント２１の図示を省略している。
【００２３】
図２に示すように、上記セグメント保持器２は、複数のセグメント２１を有する。上記各セグメント２１は、全て同一となっている。上記複数のセグメント２１は、内輪１の外周面１５にその外周面１５の周方向に重なるように配置されている。上記各セグメント２１を外周面１５上に配置し、かつ、そのセグメント２１を外周面１５の軸方向の外方から見たとき、各セグメント２１は、円弧形状をしている。
【００２４】
図２に示すように、各セグメント２１は、上面と下面とがない箱の形状を有する。上記円錐ころ３は、その箱部分に収容されている。上記各セグメント２１の箱部分の内側の面は、ポケット４６を構成している。上記各セグメント２１は、一つのみのポケット４６を有し、各セグメント２１は、ポケット４６に一つの円錐ころ３を収容している。
【００２５】
上記各セグメント２１は、第１円弧状部４２と、第２円弧状部４３と、第１転動面案内側面４４と、第２転動面案内側面４５とを有する。図２に示すように、上記第１円弧状部４２は、円錐ころ３の小端面７０に軸方向（内輪１の軸方向）に対向する一方、第２円弧状部４３は、円錐ころ３の大端面７１に軸方向に対向している。
【００２６】
再度、図１を参照して、各セグメント２１が保持する円錐ころ３は、内輪１の外周円錐軌道面１１上に位置している。図１および図２に示すように、上記組立用治具４は、内輪１の大鍔部１３の外周面１８に固定されている。上記組立用治具４は、一体の構造ではなくて、複数のころ落下防止部材５１を有する。尚、図２においては、一つのころ落下防止部材５１の一部のみを図示している。図２において、参照番号９４は、ころ落下防止部材５１の周方向の一方側の端面を示している。図示はしないが、複数のころ落下防止部材５１は、内輪１の周方向に重なるように配置される一方、内輪１の軸方向に重ならないように配置されている。上記複数のころ落下防止部材５１は、互いに相俟って略環状の部材を構成している。このことから、上記各セグメント２１の略全ての部分が、いずれかのセグメント受止部６１に内輪１の軸方向に重なっている。このことから、上記各セグメント２１の略全ての部分が、セグメント受止部６１に内輪１の軸方向に重なる受止部重なり部分となっている。
【００２７】
図１に示すように、上記各ころ落下防止部材５１は、円弧状部６０と、セグメント受止部６１とを有する。上記円弧状部６０は、大鍔部１３の外周面１８に対応する内面を有する。また、上記内輪１の大鍔部１３の外周面は、複数のねじ穴を有し、その複数のねじ穴は、周方向に互いに間隔をおいて位置している。上記各ころ落下防止部材５１の円弧状部６０を、ボルト６３で大鍔部１３の外周面１８に固定している。上記ボルト６３は、円弧状部６０を貫通するねじ穴に螺合し、さらに、大鍔部１３のねじ穴に螺合している。
【００２８】
上記セグメント受止部６１は、円弧状部６０が大鍔部の外周面１８に固定された状態で、円弧状部６０から外周面１８の径方向の外側の領域に延在している。図１に示すように、上記円弧状部６０が外周面１８に固定された状態で、セグメント受止部６１は、セグメント２１の第２円弧状部４３の軸方向の外方側の端面に沿うように延在している。図１に示すように、上記セグメント２１の第２円弧状部４３の軸方向の外方側の端面７７と、セグメント受止部６１とは、第２円弧状部４３の端面７７の法線方向に僅かな隙間を介して対向している。
【００２９】
上記複数のころ落下防止部材５１を、大鍔部１３に固定した状態で、各ころ落下防止部材５１は、内輪１の径方向の断面において略同一の断面形状を有している。上記複数のころ落下防止部材５１は、円弧状部６０が周方向に略重なり、セグメント受止部６１も周方向に略重なる状態で、大鍔部１３に固定されている。
【００３０】
上記セグメント受止部６１は、図１に矢印Ｂで示すセグメント２１の高さ方向に延在している。上記セグメント受止部６１の上記高さ方向の寸法は、セグメント２１の上記高さ方向の寸法よりも長くなっている。図１に示すように、上記セグメント受止部６１は、上記高さ方向にセグメント２１の全長を覆っている。
【００３１】
以下、上記組立用治具４を用いた円錐ころ軸受の組立方法の一例を説明する。
【００３２】
先ず、部材用意工程を行う。この部品用意工程では、円錐ころ軸受の外輪と、円錐ころ軸受の内輪１と、複数の円錐ころ３と、上記セグメント保持器２と、上記円錐ころ軸受の組立用治具４とを用意する。
【００３３】
次に、組立用治具固定工程を行う。この組立用治具固定工程では、複数のころ落下防止部材５１が、周方向に重なる一方、軸方向に重ならないように、各ころ落下防止部材５１の円弧状部６０を、大鍔部１３の外周面にボルト６３を用いて固定する。
【００３４】
次に、内輪位置決め工程を行う。この内輪位置決め工程では、内輪１の軸方向の外周円錐軌道面１１の大径側の端面を水平面に載置して、内輪１の軸方向が鉛直方向に略一致するようにする。
【００３５】
続いて、円錐ころ収容工程を行う。この円錐ころ収容工程では、セグメント保持器２の各セグメント２１のポケット４６に円錐ころ３を収容する。
【００３６】
続いて、セグメント組付工程を行う。このセグメン配置工程では、セグメント２１のポケット４６内の円錐ころ３が内輪１の外周円錐軌道面１１に位置するように、セグメント２１を内輪１に配置する。このようにして、図１に示す内輪アッセンブリを構成する。
【００３７】
最後に、外輪取付工程を行う。この外輪取付工程では、図３を参照して、各円錐ころ３が外輪７の内周円錐軌道面３８上に位置するまで、外輪７を内輪アッセンブリに対して図３に矢印Ａで示す方向に内輪１の軸方向に相対移動させる。このようにして、円錐ころ軸受の組立を終了する。
【００３８】
上記実施形態によれば、複数のころ落下防止部材５１に存在する複数のセグメント受止部６１が外周面を略全周に亘って囲むように、複数のころ落下防止部材５１が大鍔部１３の外周面１８に固定され、各セグメント受止部６１が、セグメント２１の軸方向（内輪１の軸方向）の端面７７に沿うように位置している。したがって、周方向のいずれの領域においても、セグメント２１が姿勢を変えようとしても、セグメント受止部６１でセグメント２１に力を付与できる。したがって、セグメント受止部６１でセグメント２１の姿勢の変動を阻止できて、セグメント２１のポケット４６内の円錐ころ３の小端面７０が、内輪１の小鍔部１２に引っかかって傾斜することを防止でき、そのことから当然に円錐ころ３が配置されたセグメント２１が落下することも防止できる。したがって、本実施形態のように、セグメント２１が他のセグメント２１との係合部を有さない単純な構造であっても、内輪１と、セグメント保持器２と、複数の円錐ころ３とを備える内輪アッセンブリに外輪７を装着する際に支障をきたすことがなく、内輪アッセンブリに外輪７を円滑に装着できる。
【００３９】
尚、上記実施形態では、セグメント保持器２の各セグメント２１が一つのみのポケット４６を有していたが、この発明では、保持器の各セグメントは、他のセグメントに無関係かつ独立に一以上の如何なる数のポケットを有しても良い。
【００４０】
また、上記実施形態では、セグメント保持器２を構成する各セグメント２１が全て同一であったが、この発明では、セグメント保持器を構成する複数のセグメントが、互いに異なる二以上のセグメントを有しても良い。
【００４１】
また、上記実施形態では、円錐ころ軸受の組立用治具４が有する複数のころ落下防止部材５１が互いに相俟って略環状の部材を構成した。しかしながら、この発明では、円錐ころ軸受の組立用治具が有する複数のころ落下防止部材が、周方向に重なるように配置される一方、軸方向に重ならないように配置された状態で、二つの周方向に隣接する少なくとも一つのころ落下防止部材の対の間に周方向の隙間が存在しても良い。尚、この場合に、いずれか一つのセグメントにおいて、セグメント受止部に内輪の軸方向に重なる受止部重なり部分は、そのセグメントの全部でないことは言うまでもない。また、この場合に、周方向に隣接する二つのころ落下防止部材の対の周方向の隙間のうちで最大の周方向の隙間が、セグメント保持器の複数のセグメントのうちで最小の周方向を有するセグメントの周方向の寸法よりも小さいと、セグメントの傾斜をより確実に防止できて好ましい。
【００４２】
また、上記実施形態では、図１に示す内輪アッセンブリの状態で、セグメント受止部６１が、図１に矢印Ｂで示す高さ方向にセグメント２１の全長を覆っていたが、この発明では、内輪アッセンブリの状態で、セグメント受止部が高さ方向にセグメントの一部のみを覆う構成であっても良い。
【００４３】
また、上記実施形態では、セグメント保持器２を構成する各セグメント２１が、二つの円弧状部４２,４３を有して、セグメント保持器２が両持ちの構造であった。しかしながら、この発明では、セグメント保持器がもみ抜き保持器等であって、セグメント保持器を構成する各セグメントが、一つのみの円弧状部しか有さなくて、セグメント保持器が片持ちの構造であっても良い。この発明では、セグメント保持器は、複数のセグメントからなっていれば、如何なる構造を有しても良い。
【００４４】
また、上記実施形態では、上記各ころ落下防止部材５１は、円弧状部６０と、セグメント受止部６１とを有し、円弧状部６０をボルト６３により大鍔部１３の外周面１８に固定した。しかし、この発明では、各ころ落下防止部材の円弧状部の凹面がその凹面から突出する突出部を有すると共に、内輪の大鍔部の外周面がその突出部に対応する凹部を有しても良い。そして、ころ落下防止部材の円弧状部の突出部を大鍔部の凹部に嵌合することにより、各ころ落下防止部材を内輪に固定しても良い。本発明では、各ころ落下防止部材を、大鍔部の外周面に如何なる手段で固定しても良い。
【００４５】
また、上記実施形態では、各セグメント受止部６１は、径方向の断面において、略直線形状であったが、この発明では、少なくとも一つのセグメント受止部は、径方向の断面において、曲線形状であっても良く、または、直線と曲線とを接続してなる形状であっても良い。
【００４６】
また、この発明では、円錐ころ軸受の組立用治具が有する全てのころ落下防止部材は、同一であっても良いし、または、円錐ころ軸受の組立用治具は、互いに異なる二以上のころ落下部材を有しても良い。
【００４７】
また、上記実施形態では、方法の発明における各工程は、以下の二つの条件、すなわち、条件１）各セグメントを、そのセグメントの全てのポケットに円錐ころを収容してから、内輪に配置するという条件と、条件２）全てのポケットに円錐ころを収容しているセグメントを、内輪の外周円錐軌道面の大径側が鉛直方向下方側に位置している状態かつ内輪の軸方向が鉛直方向に略一致している状態で、内輪に配置するという条件とを満たすようであれば、如何なる順序で行われても良く、二以上の工程を時間差を設けて一定の時間のみ同時に行っても良く、または、二以上の工程を時間差を設けずに同時に行っても良い。
【００４８】
尚、上記実施形態では、円錐ころの組立用治具が、複数のころ落下防止部材５１を有して、複数のピースからなっているから、各ころ落下防止部材５１を他のころ落下防止部材５１に無関係に内輪１の径方向（水平方向）を含む方向に移動させて、内輪１から取り外すことができる。したがって、製品としての円錐ころ軸受から組立用治具を取り外す場合、組立用治具を容易かつ円滑に取り外しできる。
【００４９】
しかしながら、この発明では、円錐ころ軸受から組立用治具を取り外さず、製品としての円錐ころ軸受に組立用治具が存在しても良い。この場合、セグメント保持器と、組立用治具のセグメント受止部との間にラビリンスシールを構築できる。したがって、円錐ころ軸受の内部の密封性を向上できて、外部からの異物が円錐ころ軸受の円錐軌道面等に到達するのを抑制でき、潤滑剤の劣化の抑制等を行うことができる。
【００５０】
また、上記実施形態および変形例で説明した構成のうちの二以上の構成を組み合わせて新たな実施形態を形成できることは、勿論である。また、本発明は、風力発電機の主軸や核磁気共鳴装置の回転軸に配置される円錐ころ軸受の組立等に適用すると好ましいが、本発明を、如何なる産業機械や建設機械の組立等に適用しても良いことは言うまでもない。
【符号の説明】
【００５１】
１  内輪
２  セグメント保持器
３  円錐ころ
４  組立用治具
７  外輪
１１  外周円錐軌道面
１３  大鍔部
１８  大鍔部の外周面
２１  セグメント
３８  内周円錐軌道面
４６  セグメントのポケット
５１  ころ落下防止部材
６０  ころ落下防止部材の円弧状部
６１  ころ落下防止部材のセグメント受止部
６３  ボルト
【図１】
2015135142.tif 000003
【図２】
2015135142.tif 000004
【図３】
2015135142.tif 000005